(57)【要約】【課題】オーディオシステムにおいて記録媒体に楽曲のタイトルを入力する際の操作性を向上し、タイトル編集の自由度を高め、かつ多様な文字種でタイトルを入力可能にすることである。【解決手段】ＰＣ２は、エンプティの音楽データと、曲順とタイトルの情報を含むメタデータと、ＭＤ４へのチェックアウト指示データとを記録再生装置１に転送する。記録再生装置１は、ＰＣ２からの受信データをメモリーカード５に格納した後、ＭＤ４にデータを移してタイトル情報を記録し、記録完了後にメモリーカード５内のデータを消去する。ＰＣ２との接続を一時的に切断した後に再び接続する。ＰＣ２は、記録再生装置１との接続が切断された際に、記録再生装置１からメモリーカード５内のデータを取得する。ＰＣ２は、メモリーカード５内のデータを受信し、受信データに応じてチェックアウト回数を管理するとともに、ＭＤ４へのタイトル情報の記録結果を表示する。【選択図】          図１
2004206797.tif 000002
【特許請求の範囲】
【請求項１】
第１の記録媒体及び第２の記録媒体を装着可能な記録再生装置と、該記録再生装置を制御する制御装置とが所定のインターフェイスを介して接続されたオーディオシステムであって、
前記制御装置は、
前記記録再生装置に音楽データ領域のデータ及びタイトル情報を含む当該音楽データ領域のデータのメタデータを転送する転送手段を備え、
前記記録再生装置は、
前記制御装置から前記音楽データ領域のデータ及び前記メタデータを受信する受信手段と、
前記受信手段により受信された音楽データ領域のデータ及びメタデータを前記第２の記録媒体に記録するチェックアウトデータ記録手段と、
前記チェックアウトデータ記録手段により前記第２の記録媒体に記録されたメタデータを前記第１の記録媒体に記録するメタデータ記録指示手段と、
を備えることを特徴とするオーディオシステム。
【請求項２】
前記制御装置は、
前記記録再生装置との接続状態を判別する接続状態判別手段と、
前記転送手段により前記記録再生装置に前記音楽データ領域のデータ及び前記メタデータを転送した後、前記接続状態判別手段により前記記録再生装置との接続が切断されて再度接続されたと判別された場合に、前記第２の記録媒体に記録されたデータのチェックを指示するチェック指示データを前記記録再生装置に送信するチェック指示手段と、
前記記録再生装置から前記第２の記録媒体に記録されたデータを受信するチェックデータ受信手段と、
前記チェックデータ受信手段により前記記録再生装置から受信されたデータがエンプティデータである場合に、当該データのチェックアウトを無効化する制御手段と、
を備え、
前記記録再生装置は、
前記メタデータ記録指示手段により前記第２の記録媒体に記録された音楽データ及びメタデータが前記第１の記録手段に記録された後、前記制御装置と非接続状態にして再度接続状態にする接続状態切替手段と、
前記制御装置からチェック指示データを受信した場合に、前記第２の記録媒体に記録されたデータ内容を前記制御装置に送信する送信手段と、
を備えることを特徴とする請求項１に記載のオーディオシステム。
【請求項３】
前記制御装置は、前記タイトル情報を入力する入力手段を備えることを特徴とする請求項１又は２に記載のオーディオシステム。
【請求項４】
前記制御装置は、
前記転送手段により、前記記録再生装置に、前記音楽データ領域のデータと、前記タイトル情報及び曲順情報を含む当該音楽データのメタデータとを転送し、
前記記録再生装置は、
前記メタデータ記録指示手段により前記第２の記録媒体に記録されたメタデータを前記第１の記録媒体に記録する際に、当該メタデータに含まれるタイトル情報と曲順情報を対応付けて前記第１の記録媒体に記録することを特徴とする請求項１〜３の何れか一項に記載のオーディオシステム。
【請求項５】
所定のインターフェイスを介して制御装置と接続され、第１の記録媒体及び第２の記録媒体を装着可能な記録再生装置であって、
前記制御装置から、音楽データ領域のデータ及びタイトル情報を含む当該音楽データ領域のデータのメタデータを受信する受信手段と、
前記受信手段により前記制御装置から受信された音楽データ領域のデータ及びメタデータを前記第２の記録媒体に記録するチェックアウト処理手段と、
前記チェックアウト処理手段により前記第２の記録媒体に記録されたメタデータを前記第１の記録媒体に記録するメタデータ記録指示手段と、
を備えることを特徴とする記録再生装置。
【発明の詳細な説明】
【０００１】
【発明の属する技術分野】
本発明は、音楽データ等を記録可能な媒体にタイトル情報を入力するオーディオシステム及び記録再生装置に関する。
【０００２】
【従来の技術】
従来、ＭＤ（Mini Disc）等の記録媒体に音楽データ（音声信号）を記録、再生可能な記録再生装置が知られている。音楽データが記録された記録媒体に楽曲のタイトル情報を記録する方法として、記録再生装置の操作部からタイトルを入力する方法や、記録再生装置に対応したリモコンの操作部からタイトルを入力した後、入力したタイトル情報をＩｒＤＡ（Infrared Data Association）規格の赤外線通信を利用して記録再生装置に送信する方法が用いられている。また、記録再生装置に専用の入力機器やキーボード等の周辺機器を接続し、周辺機器からタイトル入力を行う方法が知られている。
【０００３】
また、近年、ＰＣ（Personal Computer）を記録再生装置に接続し、ＰＣ内の記憶装置に格納された音楽データを記録再生装置に転送して記録媒体に記録することが可能となっている。また、ＰＣ側でタイトルを入力又は編集し、編集されたタイトル情報を記録再生装置側の記録媒体に転送して記録媒体に記録するオーディオシステムが発明されている（例えば、特許文献１参照。）。
【０００４】
【特許文献１】
特開２００２−１３２２６９号公報
【０００５】
【発明が解決しようとする課題】
しかしながら、記録再生装置の操作部やリモコンからタイトル情報を入力するためには、煩雑な操作が必要であることが問題であった。また、一般的に記録再生装置には漢字変換エンジンや辞書等が搭載されていないことが多く、漢字でタイトル入力ができず不便であった。一方、タイトル入力専用の周辺機器を利用して記録媒体にタイトル入力を行う場合は、周辺機器を購入する必要があり、ユーザにとって負担となっていた。
【０００６】
また、例えば特許文献１に示すように、ＰＣにおいて入力、編集したタイトル情報を記録再生装置に転送して記録媒体に記録する従来の方法は、音楽データをＰＣから記録再生装置に転送して記録媒体に記録した後に、音楽データに対応するタイトル情報を一括して記録再生装置に転送して記録媒体に記録するものであった。このため、既に記録媒体に記録されているタイトルを変更することはできず、タイトル編集の自由度が低いという問題があった。
【０００７】
そこで、本発明の課題は、記録媒体に楽曲のタイトルを入力する際の操作性を向上し、タイトル編集の自由度を高め、かつ多様な文字種でタイトルを入力可能にするオーディオシステム及び記録再生装置を提供することである。
【０００８】
【課題を解決するための手段】
請求項１に記載の発明は、
第１の記録媒体及び第２の記録媒体を装着可能な記録再生装置と、該記録再生装置を制御する制御装置とが所定のインターフェイスを介して接続されたオーディオシステムであって、
前記制御装置は、
前記記録再生装置に音楽データ領域のデータ及びタイトル情報を含む当該音楽データ領域のデータのメタデータを転送する転送手段を備え、
前記記録再生装置は、
前記制御装置から前記音楽データ領域のデータ及び前記メタデータを受信する受信手段と、
前記受信手段により受信された音楽データ領域のデータ及びメタデータを前記第２の記録媒体に記録するチェックアウトデータ記録手段と、
前記チェックアウトデータ記録手段により前記第２の記録媒体に記録されたメタデータを前記第１の記録媒体に記録するメタデータ記録指示手段と、
を備えることを特徴としている。
【０００９】
請求項２に記載の発明は、請求項１に記載の発明において、
前記制御装置は、
前記記録再生装置との接続状態を判別する接続状態判別手段と、
前記転送手段により前記記録再生装置に前記音楽データ領域のデータ及び前記メタデータを転送した後、前記接続状態判別手段により前記記録再生装置との接続が切断されて再度接続されたと判別された場合に、前記第２の記録媒体に記録されたデータのチェックを指示するチェック指示データを前記記録再生装置に送信するチェック指示手段と、
前記記録再生装置から前記第２の記録媒体に記録されたデータを受信するチェックデータ受信手段と、
前記チェックデータ受信手段により前記記録再生装置から受信されたデータがエンプティデータである場合に、当該データのチェックアウトを無効化する制御手段と、
を備え、
前記記録再生装置は、
前記メタデータ記録指示手段により前記第２の記録媒体に記録された音楽データ及びメタデータが前記第１の記録手段に記録された後、前記制御装置と非接続状態にして再度接続状態にする接続状態切替手段と、
前記制御装置からチェック指示データを受信した場合に、前記第２の記録媒体に記録されたデータ内容を前記制御装置に送信する送信手段と、
を備えることを特徴としている。
【００１０】
請求項３に記載の発明は、請求項１又は２に記載の発明において、
前記制御装置は、前記タイトル情報を入力する入力手段を備えることを特徴としている。
【００１１】
請求項４に記載の発明は、請求項１〜３の何れか一項に記載の発明において、
前記制御装置は、
前記転送手段により、前記記録再生装置に、前記音楽データ領域のデータと、前記タイトル情報及び曲順情報を含む当該音楽データのメタデータとを転送し、
前記記録再生装置は、
前記メタデータ記録指示手段により前記第２の記録媒体に記録されたメタデータを前記第１の記録媒体に記録する際に、当該メタデータに含まれるタイトル情報と曲順情報を対応付けて前記第１の記録媒体に記録することを特徴としている。
【００１２】
請求項５に記載の発明は、
所定のインターフェイスを介して制御装置と接続され、第１の記録媒体及び第２の記録媒体を装着可能な記録再生装置であって、
前記制御装置から、音楽データ領域のデータ及びタイトル情報を含む当該音楽データ領域のデータのメタデータを受信する受信手段と、
前記受信手段により前記制御装置から受信された音楽データ領域のデータ及びメタデータを前記第２の記録媒体に記録するチェックアウト処理手段と、
前記チェックアウト処理手段により前記第２の記録媒体に記録されたメタデータを前記第１の記録媒体に記録するメタデータ記録指示手段と、
を備えることを特徴としている。
【００１３】
【発明の実施の形態】
以下、図面を参照して、本発明を適用したオーディオシステムの一実施の形態について詳細に説明する。
ここで、本発明に係る特許請求の範囲及び以下の実施の形態において、「チェックアウト」とは、音楽データをＰＣのハードディスク等のホスト記憶装置から記録再生装置に転送し、その記録再生装置側の、例えば、小型メモリーカード（以下、メモリーカードという）やMD（Mini Disc）等の記録媒体に録音することをいう。また、「チェックイン」とは、記録再生装置に転送されて記録媒体に記録されたデータを、ＰＣ側に転送することをいう。また、エンプティデータとは、実データが記録されていない空のデータの意である。
【００１４】
まず、構成を説明する。
図１に、本発明を適用したオーディオシステム１０の全体構成及び各装置の機能的構成を示す。図１に示すように、オーディオシステム１０は、記録再生装置１とＰＣ２とが通信ケーブルであるＵＳＢ（Universal Serial Bus）３を介して接続され、相互にデータの転送が可能なように構成されている。
【００１５】
図１に示すように、記録再生装置１は、記録再生部１００、操作部１０２、表示パネル部１０３、ＬＥＤ（発光ダイオード）部１０４、Ｉ／Ｆ１０５、ＳＷ１０６、により構成される。また、記録再生部１００は、システムコントローラ１０１、メモリーカード・リーダライター回路１０７、ＭＤデジタル信号処理回路１１０、光ピックアップ１１１、送りモータ１１２、スピンドルモータ１１３、ＲＦアンプ１１４、ヘッドドライバ１１５、記録ヘッド１１６、バッファメモリ１１７、ＭＤ４、メモリーカード５、により構成される。
【００１６】
操作部１０２は、再生キー、停止キー、サーチキー等の各種入力キーを備え、その押下信号をシステムコントローラ１０１に供給する。なお、サーチキーは、「早送り」又は「巻き戻し」の動作の指示を入力する。
【００１７】
表示パネル部１０３は、ＬＣＤ（Liquid Crystal Display）等により構成され、システムコントローラ１０１から入力される表示信号に基づいて、ＭＤ４又はメモリーカード５の再生又は記録中に所要の表示動作を行う。例えば、再生中のトラック番号、動作状態（早送り、巻き戻し、録音等）、記録モード等を表示する。
【００１８】
ＬＥＤ部１０４は、システムコントローラ１０１の制御により点灯又は点滅することにより、記録再生装置１の動作状態をユーザに報知する。
【００１９】
Ｉ／Ｆ１０５は、記録再生部１００とＵＳＢ３を接続するためのＵＳＢインターフェイスであり、ＰＣ２からのチェックアウトにより受信した暗号化された音楽データ等の復号化処理等を行う。
【００２０】
ＳＷ１０６は、システムコントローラ１０１の指示に従ってＯＮ又はＯＦＦに制御される。これにより、ＳＷ１０６は記録再生装置１とＰＣ２との接続状態を切り替える。
【００２１】
システムコントローラ１０１は、オーディオシステム１０の各部を制御するマイコンであり、ＣＰＵ（Central Processing Unit）１０１ａ、ＲＡＭ（Random Access Memory）１０１ｂ、ＲＯＭ(Read Only Memory)１０１ｃ等を備える。ＣＰＵ１０１ａは、操作部１０２から入力される指示に従ってＲＯＭ１０１ｃに記憶された制御プログラムを読み出し、ＲＡＭ１０１ｂのワークメモリに展開して当該制御プログラムに従った動作を実行し、オーディオシステム１０の各部を制御する。制御プログラムにはタイトル記録処理プログラムが含まれ、ＣＰＵ１０１ａはこのプログラムとの協働によりタイトル記録処理を実現する。
【００２２】
ＣＰＵ１０１ａは、タイトル記録処理において、ＰＣ２から曲順及びタイトルの情報を含むメタデータ、エンプティの音楽データ、チェックアウト指示データを受信した場合に、メモリーカード・リーダライター回路１０７を制御してメモリーカード５に受信データをチェックアウトする。次に、メモリーカード・リーダライター回路１０７とＭＤデジタル信号処理回路１１０を制御して、メモリーカード５にチェックアウトしたデータを読み出してＭＤ４にチェックアウトする。そして、ＳＷ１０６を制御して、ＰＣ２との接続状態をＯＮから一時的にＯＦＦにした後、再びＯＮにする。また、ＣＰＵ１０１ａは、ＰＣ２からメモリーカード５内のデータのチェックインを指示するチェックイン指示データを受信した際に、メモリーカード・リーダライター回路１０７によりメモリーカード５内のデータを読み出し、読み出したデータをＳＷ１０６及びＩ／Ｆ１０５を介してＰＣ２に送信する。
【００２３】
メモリーカード５は、フラッシュメモリにより構成され、音楽データ等を記録可能な記録媒体であり、メモリーカード５内のデータは、読み出された場合に消去される（すなわち、メモリーカード５内のデータがクリアされる。）。メモリーカード５には、システムコントローラ１０１によりチェックアウト指示されたデータがメモリーカード・リーダライター回路１０７によって記録される。また、システムコントローラ１０１の指示に従い、メモリーカード・リーダライター回路１０７によりメモリーカード５内のデータが読み出された際に、メモリーカード５内のデータは消去される。
【００２４】
メモリーカード・リーダライター回路１０７は、システムコントローラ１０１の指示に従って、メモリーカード５へのデータの記録、及びメモリーカード５からのデータの読出しを行う。
【００２５】
ＭＤ４は、データを書換え可能な光磁気ディスクであり、そのディスク表面には複数のトラックが螺旋状に形成されている。各トラックには、１曲分の音楽データが記録される。また、ＭＤ１内の所定の内周トラックには、ＵＴＯＣ（UserTable Of Contents）情報が記録されている。ＵＴＯＣ情報には、ＭＤ１に記録されたトラック番号、各トラックの音楽データのタイトル、記録時間、スタートアドレス、エンドアドレス、トラックモード等のインデックス情報が含まれる。
【００２６】
ＭＤデジタル信号処理回路１１０は、ＤＳＰ（Digital Signal Processor）等の高速のマイクロプロセッサにより構成され、サーボ制御、ショックプルーフメモリ制御等、ＭＤ４に対する音楽データの記録／再生における制御を行う。また、ＭＤ４にプリグルーブ（予め記録された案内溝）として記録されている絶対位置情報（以下、ＡＤＩＰという）のデコード処理、音楽データのＥＦＭ（Eight to Fourteen Modulation）デコード／エンコード処理、ＡＴＲＡＣ（Adaptive Transform Acoustic Coding）方式やＡＴＲＡＣ３方式へのエンコード／デコード処理等、各種デジタル信号処理を施す。
【００２７】
光ピックアップ１１１は、レーザダイオードや偏光ビームスプリッタ、対物レンズ、反射光を検出するためのディテクタ等（何れも図示省略）を備える。この光ピックアップ１１１はディスク径方向及びＭＤ４に接離する方向に変位可能に保持されており、ＭＤデジタル信号処理回路の制御によりその変位が制御される。光ピックアップ１１１は、再生時にＭＤ４に対して比較的低レベルのレーザ光を照射し、磁気カー効果により記録トラックから反射する反射光に基づく情報を検出して、検出した情報をＲＦアンプ１１４に供給する。一方、記録時には、ＭＤ４に比較的高レベルのレーザを照射して、ＭＤ４の記録トラックをキュリー温度まで過熱する。
【００２８】
送りモータ１１２は、光ピックアップ１１１と記録ヘッド１１６をＭＤ４の半径方向に移動させる。
【００２９】
スピンドルモータ１１３は、システムコントローラ１０１により線速度一定（Constant Linear Velocity）制御され、ＭＤ４の記録・再生時に光ピックアップ１１１の位置に応じてＭＤ４を回転駆動する。
【００３０】
ＲＦアンプ１１４は、再生時に光ピックアップ１１１から供給された情報を演算処理することにより、再生ＲＦ信号、トラッキングエラー信号、フォーカスエラー信号、グループ情報等を抽出する。グループ情報には、ＭＤ４に予め記録されているＡＤＩＰが含まれる。
【００３１】
ヘッドドライバ１１５は、ＭＤデジタル信号処理回路１１０から供給されるエンコード処理された記録用の音楽データに応じて、記録ヘッド１１６に駆動信号を供給する。
【００３２】
記録ヘッド１１６は、ＭＤ４を挟んで光ピックアップ１１１と対向する位置に配置されており、ヘッドドライバ１１５から供給される音楽データに応じた駆動信号に従って動作し、ＭＤ４のディスク記録面のレーザ過熱部に磁場を印加して垂直磁化を行う。これにより、ＭＤ４に音楽データが記録される。
【００３３】
バッファメモリ１１７は、ＤＲＡＭ（Dynamic Random Access Memory）等により構成され、ＰＣ２から受信した音楽データやＵＴＯＣ情報、ＭＤ４から読み込んだ音楽データを一時的に格納する。
【００３４】
次に、ＰＣ２の構成を説明する。図１に示すように、ＰＣ２は、制御部２０１、操作部２０２、表示部２０３、記憶部２０４、Ｉ／Ｆ２０５、の各部により構成される。
【００３５】
制御部２０１は、図１に示すように、ＣＰＵ１０１ａ、ＲＡＭ１０１ｂ、ＲＯＭ１０１ｃ等を備える。
ＣＰＵ２０１ａは、ＲＯＭ２０１ｃ及び記憶部２０４に記憶されたシステムプログラムや各種処理プログラムを読み出し、当該プログラムに従ってＰＣ２の各部を制御する。例えば、記憶部２０４には、ＵＳＢ３を介して接続された記録再生装置１内のメモリーカード５にタイトル情報をチェックアウト／チェックインするための、タイトルチェックアウト・チェックイン処理プログラムが格納されている。ＣＰＵ２０１ａは、タイトルチェックアウト・チェックイン処理プログラムとの協働により、タイトルチェックアウト・チェックイン処理を実現する。
【００３６】
また、ＣＰＵ２０１ａは、記録再生装置１のメモリーカード５にチェックアウトした音楽データ及びそのチェックアウト回数を管理する。具体的には、ＣＰＵ２０１ａは、メモリーカード５に音楽データをチェックアウトした後、記録再生装置１に対してメモリーカード５内のデータの送信を要求する。このとき、記録再生装置１から受信したデータがメモリーカード５にチェックアウトした音楽データと一致する場合に、正常にチェックアウトが終了したものと判断し、チェックアウト回数を加算し、加算結果をＲＯＭ１０１ｃに記憶する。一方、記録再生装置１からの受信データがメモリーカード５にチェックアウトした音楽データと一致しない場合には、チェックアウトを無効化し、チェックアウト回数の加算を行わない。
【００３７】
ＣＰＵ２０１ａは、タイトルチェックアウト・チェックイン処理において、図２に示すようなＭＤタイトル編集画面を表示部２０３に表示させる。ＭＤタイトル編集画面には、図２に示すように、ディスクタイトルを表示するためのディスクタイトル表示欄１０３Ａ、曲順（トラックナンバー）を入力するための曲順入力欄１０３Ｂ、曲名を入力するための曲名入力欄１０３Ｃ、アーチスト名を入力するためのアーチスト名入力欄１０３Ｄ、上記１０３Ｂ〜１０３Ｄの各欄に入力された情報をＭＤ４に書き込むための書込みボタン１０３Ｅ等が表示される。
【００３８】
ＣＰＵ２０１ａは、ユーザによりＭＤタイトル編集画面において曲順及び曲名（アーチスト名の入力は任意）が入力され、書込みボタン１０３Ｅが押下された場合に、エンプティの音楽データのメタデータに曲順及びタイトルの情報を書き込み、この音楽データとメタデータをチェックアウト指示データとともに記録再生装置に送信する。例えば、図２に示すように、曲順「３」、曲名「オリジナル」、アーチスト名「ヤマダ」、という情報が入力されて書込みボタン１０３Ｅが押下された場合には、入力された情報は記録再生装置１に送信され、メモリーカード５を介してＭＤ４に記録される。そして、ＭＤ４の３曲目のタイトルとして「オリジナル／ヤマダ」という情報が記録される。なお、アーチスト名が入力されなかった図２に示す５曲目については、「その３」という曲名の情報のみがタイトルとしてＭＤ４に記録される。
【００３９】
また、ＣＰＵ２０１ａは、ＵＳＢ３が切断されたことを検知した場合に、メモリーカード５内のデータをチェックインすることを指示するチェックイン指示データを記録再生装置１に送信する。そして、記録再生装置１から受信したメモリーカード５内のデータがエンプティデータである場合は、メモリーカード５に対するチェックアウトを無効として、チェックアウト回数の加算を行わない。また、ＣＰＵ２０１ａは、ＭＤ４に対するタイトル情報のチェックアウトが正常に終了したことを表示部２０３に表示する。
【００４０】
ＲＡＭ２０１ｂは、ＣＰＵ２０１ａにより実行制御される各種処理において、ＲＯＭ２０１ｃや記憶部２０４から読み出されたシステムプログラム、各種処理プログラム、各種アプリケーションプログラム、入力若しくは出力データ、及びパラメータ等の一時的な格納領域を形成する。
【００４１】
ＲＯＭ２０１ｃは、不揮発性の半導体メモリなどにより構成され、ＰＣ２に対応するシステムプログラム、及び当該システムプログラム上で実行可能な各種処理プログラム等を記憶する。プログラムは、コンピュータが読取可能なプログラムコードの形態で格納され、ＣＰＵ２０１ａは当該プログラムに従った動作を逐次実行する。
なお、ＰＣ２に外部機器と接続するためのインターフェイスを設けて、外部機器から供給されるプログラムやデータを利用してＰＣ２特有の動作を実行することとしてもよい。
【００４２】
操作部２０２は、文字や英数字の入力キー、カーソルキー、及び各種機能キーを備えたキーボードと、マウス等のポインティングデバイスを備えて構成され、キーボードのキー押下信号とマウスによる操作信号を入力信号としてＣＰＵ２０１ａに出力する。また、操作部２０２は、タッチパネル等を含むこととしてもよい。
【００４３】
表示部２０３は、ＬＣＤやＣＲＴ（Cathode Ray Tube）等により構成され、ＣＰＵ２０１ａから入力される表示信号の指示に従って、表示画面上に画像の表示を行う。
【００４４】
記憶部２０４は、ハードディスク等の大容量の記憶装置であり、音楽データやタイトルチェックアウトチェックイン処理プログラム等の各種データ及びプログラムを格納する。記憶部２０４は、ＰＣ２に固定的に又は着脱可能に装着される。
【００４５】
Ｉ／Ｆ２０５は、ＵＳＢ３を介してＰＣ２を記録再生装置１に接続するためのインターフェイスである。
【００４６】
次に、動作を説明する。
図３は、記録再生装置１によるタイトルチェックアウト・チェックイン処理とＰＣ２によるタイトル記録処理において、図２のＭＤタイトル編集画面において曲順とタイトルが入力されてからＭＤ４にタイトルが記録されるまでの工程を示すタイムチャートである。
【００４７】
図３に示すように、ＰＣ２は、エンプティの楽曲データと、そのメタデータ（曲順とタイトルの情報を含む）と、チェックアウト指示データとを記録再生装置１に一括してバルク転送する（ステップＳ１）。記録再生装置１は、ＰＣ２からバルク転送されてきたデータを受信し（ステップＳ２）、受信データをメモリーカード５にチェックアウトする（ステップＳ３）。
【００４８】
次に、記録再生装置１は、メモリーカード５内のデータを読み出して、読み出したメタデータをＭＤ４に記録し（ステップＳ４）、メモリースティック５に記録されたデータを消去する（ステップＳ５）。
ステップＳ４において、ＭＤ４にチェックアウトされるデータは、楽曲データと、曲順及びタイトルの情報を含むメタデータであるが、記録再生装置１は、楽曲データはエンプティデータであるためＭＤ４には記録せず、タイトルと曲順の情報をＭＤ４内のＵＴＯＣエリアに対応付けて記録する。これにより、タイトル情報のＭＤ４へのチェックアウトが完了する。
【００４９】
次に、記録再生装置１は、図１のＳＷ１０６を制御することによりＰＣ２との接続状態をＯＮから一時的にＯＦＦにした後、再びＯＮに切り替える（ステップＳ５）。ここで、ＰＣ２は、記録再生装置１との接続状態を検知して（ステップＳ６）、接続が切断されたことを検知した場合に、メモリーカード５内のデータのチェックイン指示データを記録再生装置１に送信する（ステップＳ７）。
【００５０】
続いて、記録再生装置１は、ＰＣ２からチェックイン指示データを受信して、メモリーカード５内のデータを読み出し、ＰＣ２に送信する（ステップＳ８）。ＰＣ２は、記録再生装置１からＭＳ内のデータを受信すると、受信データを解析する。そして、受信データがエンプティである場合は、チェックアウト無効化処理を行う（ステップS９）。すなわち、PC２は、メモリーカード５に対するチェックアウトを無効として、チェックアウト回数の加算を行わない。続いて、記録再生装置１は、メモリーカード５内のデータを消去する（ステップS１０）。
【００５１】
以上説明したように、ＰＣ２は、ユーザにより入力された曲順とタイトルの情報を含むメタデータと、エンプティの音楽データと、ＭＤ４に対するチェックアウト指示データとを記録再生装置１にバルク転送する。記録再生装置１は、ＰＣ２からの受信データをメモリーカード５に一時的に格納した後、メモリーカード５内のデータをＭＤ４に転送してＭＤ４にタイトル情報を記録する。また、記録再生装置１は、ＰＣ２との接続を一時的に切断した後で再び接続する。ＰＣ２は、記録再生装置１との接続が切断されたことを検知して、メモリーカード５内のデータのチェックイン指示データを記録再生装置１に送信する。記録再生装置１は、メモリーカード５内のデータを読み出してＰＣ２に送信する。ＰＣ２は、メモリーカード５内のデータを受信し、受信データを解析して、メモリーカード５へののチェックアウトの無効化処理を実行する。そして、記録再生装置１はメモリーカード５内のデータを消去する。
【００５２】
したがって、ＰＣ２の操作部２０２のキーボードやマウスを使用してタイトルを入力することができるため、操作性が向上する。また、タイトル入力時に、ＰＣに標準装備されたかな漢字変換プログラムや辞書を使用できるため、かなだけでなく漢字を使用したタイトルの入力も簡単に行うことができる。また、記録再生装置１にかな漢字変換プログラムや辞書を搭載する必要がないため、コストの増加を防ぐことができる。
【００５３】
また、曲順を指定することにより、ＭＤ４に既に記録された特定の音楽データのタイトルを記録することも可能となり、タイトル編集の自由度を高めることができる。
【００５４】
更に、従来のオーディオシステムの構成を大幅に変更する必要がなく、また、記録再生装置１にタイトル入力用の専用装置が不要であるため、オーディオシステム１０を安価に構成できる。ユーザにとっては、専用装置を購入する手間やコストの負担がなくなるため、便利である。
【００５５】
なお、本発明は、上記実施の形態に限定されるものではない。例えば、ＰＣ２に通信手段を設け、ＣＤＤＢ（Compact Disc Data Base）接続機能を実現するためのプログラムを搭載して、ＣＤＤＢからタイトル情報を含むメタデータやタイトル情報のデータを取得してＭＤ４にチェックアウトすることもできる。
【００５６】
また、ＭＤ４の代わりに、例えばハードディスク等のメタデータ領域の仕様に対応した記録媒体を適用することや、メモリーカード５の代わりに、データが読み出された際にそのデータが消滅する性質の記録媒体を適用することも可能である。
【００５７】
また、上記実施の形態では、記録再生装置１において、メモリーカード５に一時的に格納したデータを自動的にＭＤ４に移してタイトル情報をチェックアウトすることとしたが、例えば、システムコントローラ１０１がＭＳ内のデータの有無を定期的に監視し、データがある場合に当該データをＭＤ４に移してもよい。また、ＭＳ内にデータがある場合に、データが存在することを表示パネル部１０３に表示する等してユーザに報知し、ユーザが操作部１０２からタイトル書込み指示を入力した後にメモリーカード５内のデータをＭＤ４に移動することとしてもよい。
【００５８】
その他、記録再生装置１は、ＭＤ４が未挿入である場合にタイトル情報のチェックアウトができないため、ＭＤ４が未挿入であることを表示パネル部１０３に表示してもよい。また、ＰＣ２から受信したメタデータにより指定された曲順のタイトルが既にＭＤ４に記録されている場合には、新たに指定されたタイトルにより上書きし、タイトルを上書きしたことを表示パネル部１０３に表示することも可能である。
【００５９】
更に、近年、固有のＩＤを有するＭＳが市販されているが、上記実施の形態のＭＳに予めＩＤが記録されている場合に、ＰＣ２はチェックアウトを行う前に記録再生装置１からメモリーカード５のＩＤを受信して記憶しておき、チェックイン時に記録再生装置１からメモリーカード５内のデータとともにそのＩＤを受信して、チェックアウト時のＩＤと一致した場合にのみＭＤ４へのタイトル情報のチェックアウトが正常に完了したと判別することとしてもよい。
【００６０】
この他、本発明を適用したオーディオシステム１０を構成する各装置の細部構成、および詳細動作に関しても、本発明の趣旨を逸脱しない範囲で適宜変更可能である。
【００６１】
【発明の効果】
本発明によれば、オーディオシステムにおいて記録媒体に楽曲のタイトルを入力する際の操作性を向上し、タイトル編集の自由度を高め、かつ多様な文字種でタイトルを入力可能にすることができる。
【図面の簡単な説明】
【図１】本発明を適用した一実施の形態によるオーディオシステムの機能的構成を示すブロック図である。
【図２】図１のＰＣにおいて表示される表示画面の一例を示す図である。
【図３】図１のＰＣにおいてタイトルが指定されてから記録再生装置のＭＤにタイトルが記録されるまでの工程を示すタイムチャートである。
【符号の説明】
１  記録再生装置
２  ＰＣ
３  ＵＳＢ
４  ＭＤ
５  メモリーカード
１０  オーディオシステム
１００  記録再生部
１０１  システムコントローラ
１０１ａ，２０１ａ  ＣＰＵ
１０１ｂ，２０１ｂ  ＲＡＭ
１０１ｃ，２０１ｃ  ＲＯＭ
１０２，２０２  操作部
１０３  表示パネル部
１０４  ＬＥＤ部
１０５，２０５  Ｉ／Ｆ
１０６  ＳＷ
１０７  メモリーカード・リーダライター回路
１１０  ＭＤデジタル信号処理回路
１１１  光ピックアップ
１１２  送りモータ
１１３  スピンドルモータ
１１４  ＲＦアンプ
１１５  ヘッドドライバ
１１６  記録ヘッド
１１７  バッファメモリ
２０３  表示部
２０４  記憶部
【図１】
2004206797.tif 000003
【図２】
2004206797.tif 000004
【図３】
2004206797.tif 000005